(57)【要約】【課題】１つの衛星の偏波信号だけでなく、複数の衛星の偏波信号も１本のケーブルを通じて同時に出力することのできるＬＮＢ、およびこのようなＬＮＢを用いた衛星放送受信装置を提供する。【解決手段】周波数変換回路３０Ａ，３０Ｂは、各々が、１つの衛星に対応し、対応する衛星から受けた２種類の偏波信号の周波数の帯域を、重複しないような２個の中間周波数帯域に変換し、信号結合器１１Ａ，１１Ｂは、各々が、１つの衛星に対応し、対応する衛星からの帯域変換された２種類の偏波信号を周波数多重化して第１の合成信号を生成し、信号組替え回路５５Ａは、２個の第１の合成信号から重複を許して２個の第１の合成信号を任意に選択し、選択したそれぞれの第１の合成信号から任意に１つの偏波信号を取出し、取出した２個の偏波信号を周波数多重化して第２の合成信号を生成する。【選択図】        図２
2004350149.tif 000002
【特許請求の範囲】
【請求項１】
Ｎ個（Ｎ≧２）の衛星のそれぞれから、Ｍ個（Ｍ≧２）の種類の偏波信号を受けるローノイズブロックダウンコンバータであって、
各々が、１つの衛星に対応し、対応する衛星から受けたＭ個の種類の偏波信号の周波数の帯域を、重複しないようなＭ個の中間周波数帯域に変換するＮ個の周波数変換回路と、
各々が、１つの衛星に対応し、対応する衛星からの前記帯域変換されたＭ個の種類の偏波信号を周波数多重化して第１の合成信号を生成するＮ個の第１の信号結合器と、
Ｎ個の前記第１の合成信号から重複を許してＭ個の第１の合成信号を任意に選択し、選択したそれぞれの第１の合成信号から任意に１つの偏波信号を取出し、取出したＭ個の偏波信号を周波数多重化して第２の合成信号を生成する信号組替え回路とを備えたローノイズブロックダウンコンバータ。
【請求項２】
前記信号組替え回路は、
Ｎ個の入力端子とＭ個の出力端子とを備え、Ｎ個の前記第１の合成信号を受けて、Ｍ個の出力端子の各々に前記受けたいずれか任意の第１の合成信号を出力するスイッチ回路と、
各々が、対応する出力端子から出力される前記第１の合成信号を受けて、前記受けた第１の合成信号の対応する帯域に含まれる信号の成分を、前記受けた第１の合成信号に含まれる偏波信号のうちのいずれか任意の偏波信号とするＭ個の周波数制御回路と、
各々が、対応する前記周波数制御回路の出力信号の対応する帯域の信号成分を通すＭ個のフィルタと、
前記Ｍ個のフィルタの出力信号を周波数多重化して第２の合成信号を生成する第２の信号結合器とを含む、請求項１記載のローノイズブロックダウンコンバータ。
【請求項３】
前記周波数制御回路は、任意に切替可能なスイッチと、ミキサとを含み、
前記スイッチは、前記対応する出力端子から出力される第１の合成信号を受けて、第１の状態のときに、前記第１の合成信号をそのまま前記フィルタに出力し、第２の状態のときに、前記第１の合成信号をミキサに出力し、
前記ミキサは、前記第１の合成信号と所定の周波数の信号とを混合して、混合された信号を前記フィルタに出力する、請求項２記載のローノイズブロックダウンコンバータ。
【請求項４】
前記信号組替え回路のスイッチ回路は、さらにＭ個の出力端子を備え、前記Ｍ個の出力端子の各々に前記受けたいずれか任意の第１の合成信号を出力し、
前記信号組替え回路は、
前記Ｍ個の出力端子から出力される信号に対応してＭ個の周波数制御回路と、前記Ｍ個の周波数制御回路の出力に対応してＭ個のフィルタと、前記Ｍ個のフィルタの出力に対応して１つの信号結合器とをさらに備え、２個の第２の合成信号を生成し、
前記ローノイズブロックダウンコンバータは、Ｋ個（Ｋ≧２）の前記信号組替え回路を含む、請求項２記載のローノイズブロックダウンコンバータ。
【請求項５】
Ｎ×Ｍ個（Ｎ≧２、Ｍ≧２）の入力端子と、Ｍ個の出力端子とを備え、Ｎ個の衛星のそれぞれから、Ｍ個の種類の偏波信号を受けて、Ｍ個の出力端子の各々に、前記受けたいずれか任意の偏波信号を出力するスイッチ回路と、
前記スイッチ回路から出力されるＭ個の偏波信号の周波数の帯域を、重複しないようなＭ個の中間周波数帯域に変換する周波数変換回路と、
前記帯域変換されたＭ個の偏波信号を周波数多重化して合成信号を生成する信号結合器とを備えたローノイズブロックダウンコンバータ。
【請求項６】
Ｎ個（Ｎ≧２）の衛星のそれぞれから、Ｍ個（Ｍ≧２）の種類の偏波信号を受けるローノイズブロックダウンコンバータであって、
各々が１つの衛星に対応し、対応する衛星から受けたＭ個の種類の偏波信号の周波数の帯域を、重複しないようなＭ個の中間周波数帯域に変換するＮ個の周波数変換回路と、
各々が偏波信号の種類に対応し、前記帯域変換されたＮ個の衛星の対応する種類の偏波信号を受けて、前記受けたいずれか任意の偏波信号を出力するＭ個のスイッチ回路と、
前記Ｍ個のスイッチ回路から前記Ｍ個の偏波信号を受けて、前記Ｍ個の偏波信号を周波数多重化して合成信号を生成する信号結合器とを備えたローノイズブロックダウンコンバータ。
【請求項７】
Ｎ個（Ｎ≧２）の衛星のそれぞれから、Ｍ個（Ｍ≧２）の種類の偏波信号を受ける衛星放送受信装置であって、
各々が、１つの衛星に対応し、対応する衛星から受けたＭ個の種類の偏波信号の周波数の帯域を、重複しないようなＭ個の中間周波数帯域に変換するＮ個の周波数変換回路と、
各々が、１つの衛星に対応し、対応する衛星からの前記帯域変換されたＭ個の種類の偏波信号を多重化して第１の合成信号を生成するＮ個の信号結合器と、
Ｎ個の前記第１の合成信号から重複を許してＭ個の第１の合成信号を任意に選択し、選択したそれぞれの第１の合成信号から任意に１つの偏波信号を取出し、取出したＭ個の偏波信号を周波数多重化して第２の合成信号を生成する信号組替え回路とを含むローノイズブロックダウンコンバータと、
前記ローノイズブロックダウンコンバータから出力される第２の合成信号を受けて、前記第２の合成信号により選局処理および復調処理を行なうチューナとを備えた衛星放送受信装置。
【発明の詳細な説明】
【０００１】
【発明の属する技術分野】
本発明はローノイズブロックダウンコンバータ（Ｌｏｗ  Ｎｏｉｓｅ  Ｂｌｏｃｋ  Ｄｏｗｎ  Ｃｏｎｖｅｒｔｅｒ、以下、ＬＮＢ）および衛星放送受信装置に関し、特に複数の衛星の各々より送信される複数種類の偏波信号の受信に適したローノイズブロックダウンコンバータ（Ｌｏｗ  Ｎｏｉｓｅ  Ｂｌｏｃｋ  Ｄｏｗｎ  Ｃｏｎｖｅｒｔｅｒ、以下、ＬＮＢ）および衛星放送受信装置に関する。
【０００２】
【従来の技術】
従来から、衛星から送信される２つの偏波信号を受けて、これらの偏波信号を中間周波数に変換するＬＮＢが開発されている。
【０００３】
たとえば、特許文献１に記載のＬＮＢでは、２つの偏波信号を受けて、一方の偏波信号の周波数を正規周波数に周波数変換し、他方の偏波信号を正規周波数から一定値シフトした周波数に周波数変換する。そして、このＬＮＢは、これらの周波数変換された信号を周波数多重化して、１つの信号として出力する。
【０００４】
これによって、１つの衛星から送信された２つの偏波信号を１本のケーブルを通じて、チューナに出力することができる。
【０００５】
ところで、現在、米国上空の西経１０１°、１１０°および１１９°には、デジタル放送衛星（ＤＢＳ）が打ち上げられている。米国のＤＢＳ放送のサービスプロバイダの１つであるエコスター（ＥｃｈｏＳｔａｒ；米国エコスターコミュニケーションズコーポレーションの登録商標）は、このうち西経１１０°および１１９°の衛星に関する放送権利を取得して、衛星放送を行なっている。それゆえ、このような２つの衛星から送信される偏波信号を受けて、これらの偏波信号を中間周波数に変換するＬＮＢが必要となる。
【０００６】
図９は、特許文献１に記載のＬＮＢを、２つの衛星から送信される偏波信号を受信できるように拡張したＬＮＢの構成を示す。同図を参照して、ＬＮＢ５００は、低雑音増幅器３Ａ，３Ｂ，４Ａ，４Ｂと、イメージ除去用フィルタ回路５Ａ，５Ｂ，６Ａ，６Ｂと、局部発振器１３，１４と、周波数変換回路３０Ａ，３０Ｂと、信号結合器１１Ａ，１１Ｂと、２×２スイッチ回路１５と、マイクロコンピュータ４６と、中間周波数増幅器１７Ａ，１７Ｂと、キャパシタ１８Ａ，１８Ｂと、出力端子２０Ａ，２０Ｂと、電源回路２２とを備える。
【０００７】
ＬＮＢ５００には、西経１１９度に位置する衛星（以下「１１９度衛星」という）より送信される左旋偏波信号（以下「１１９度左旋偏波信号」という）と、１１９度衛星より送信される右旋偏波信号（以下「１１９度右旋偏波信号」という）と、西経１１０度に位置する衛星（以下「１１０度衛星」という）より送信される左旋偏波信号（以下「１１０度左旋偏波信号」という）と、１１０度衛星より送信される右旋偏波信号（以下「１１０度右旋偏波信号」という）とが入力される。これら入力信号の周波数は、第０周波数帯（１２．２ＧＨｚ〜１２．７ＧＨｚ）に含まれる。
【０００８】
低雑音増幅器３Ａは、１１９度左旋偏波信号を受けて、これを低雑音増幅する。低雑音増幅器４Ａは、１１９度右旋偏波信号を受けて、これを低雑音増幅する。低雑音増幅器４Ｂは、１１０度右旋偏波信号を受けて、これを低雑音増幅する。低雑音増幅器３Ｂは、１１０度左旋偏波信号を受けて、これを低雑音増幅する。
【０００９】
イメージ除去用フィルタ回路５Ａ，６Ａ，６Ｂ，５Ｂは、それぞれ低雑音増幅された１１９度左旋偏波信号、低雑音増幅された１１９度右旋偏波信号、低雑音増幅された１１０度右旋偏波信号、低雑音増幅された１１０度左旋偏波信号のイメージ信号を除去する。
【００１０】
局部発振器１３，１４は、それぞれ、１１．２５ＧＨｚ、１４．３５ＧＨｚの正弦波信号（ローカルオシレータ信号）を発生する。
【００１１】
周波数変換回路３０Ａは、１１９度衛星に対応し、ミキサ７Ａ，８Ａと、ハイパスフィルタ９Ａと、ローパスフィルタ１０Ａとを含み、１１９度左旋偏波信号と１１９度右旋偏波信号の周波数の帯域を重複しないような２個の中間周波数（ＩＦ）帯域に変換する。
【００１２】
ミキサ７Ａは、周波数が第０周波数帯（１２．２〜１２．７ＧＨｚ）に含まれる低雑音増幅され、かつイメージ信号を除去された１１９度左旋偏波信号と、１４．３５ＧＨｚのローカルオシレータ信号とを混合して、周波数が第１のＩＦ周波数帯（周波数１６５０ＭＨｚ〜２１５０ＭＨｚ、以下「ハイバンド」ともいう）に含まれる１１９度左旋偏波信号を出力する。
【００１３】
ミキサ８Ａは、周波数が第０周波数帯（１２．２〜１２．７ＧＨｚ）に含まれる低雑音増幅され、かつイメージ信号を除去された１１９度右旋偏波信号と、１１．２５ＧＨｚのローカルオシレータ信号とを混合して、周波数が第２のＩＦ周波数帯（周波数９５０ＭＨｚ〜１４５０ＭＨｚ、以下「ローバンド」ともいう）に含まれる１１９度右旋偏波信号を出力する。
【００１４】
ハイパスフィルタ９Ａは、ミキサ７Ａから出力される周波数が第１のＩＦ周波数帯に含まれる１１９度左旋偏波信号を通過させる。
【００１５】
ローパスフィルタ１０Ａは、ミキサ８Ａから出力される周波数が第２のＩＦ周波数帯に含まれる１１９度右旋偏波信号を通過させる。
【００１６】
周波数変換回路３０Ｂは、１１０度衛星に対応し、ミキサ７Ｂ，８Ｂと、ハイパスフィルタ９Ｂと、ローパスフィルタ１０Ｂとを含み、１１０度左旋偏波信号と１１０度右旋偏波信号の周波数の帯域を重複しないような２個の中間周波数（ＩＦ）帯域に変換する。
【００１７】
ミキサ８Ｂは、周波数が第０周波数帯（１２．２〜１２．７ＧＨｚ）に含まれる低雑音増幅され、かつイメージ信号を除去された１１０度右旋偏波信号と、１１．２５ＧＨｚのローカルオシレータ信号とを混合して、周波数が第２のＩＦ周波数帯に含まれる１１０度右旋偏波信号を出力する。
【００１８】
ミキサ７Ｂは、周波数が第０周波数帯（１２．２〜１２．７ＧＨｚ）に含まれる低雑音増幅され、かつイメージ信号を除去された１１０度左旋偏波信号と、１４．３５ＧＨｚのローカルオシレータ信号とを混合して、周波数が第１のＩＦ周波数帯にに含まれる１１０度左旋偏波信号を出力する。
【００１９】
ハイパスフィルタ９Ｂは、ミキサ７Ｂから出力される周波数が第１のＩＦ周波数帯に含まれる１１０度左旋偏波信号を通過させる。
【００２０】
ローパスフィルタ１０Ｂは、ミキサ８Ｂから出力される周波数が第２のＩＦ周波数帯に含まれる１１０度右旋偏波信号を通過させる。
【００２１】
信号結合器１１Ａは、１１９度衛星に対応し、ハイパスフィルタ９Ａを通過した１１９度左旋偏波信号と、ローパスフィルタ１０Ａを通過した１１９度右旋偏波信号とを周波数多重化して合成１１９度信号を出力する。したがって、合成１１９度信号は、ハイバンド側に１１９度左旋偏波信号が配置され、ローバンド側に１１９度右旋偏波信号が配置された信号である。
【００２２】
信号結合器１１Ｂは、１１０度衛星に対応し、ローパスフィルタ１０Ｂを通過した１１０度右旋偏波信号と、ハイパスフィルタ９Ｂを通過した１１０度左旋偏波信号とを周波数多重化して合成１１０度信号を出力する。したがって、合成１１０度信号は、ハイバンド側に１１０度左旋偏波信号が配置され、ローバンド側に１１０度右旋偏波信号が配置された信号である。
【００２３】
２×２スイッチ回路１５は、ＩＦ周波数帯（周波数９５０ＭＨｚ〜２１５０ＭＨｚ）で動作する。２×２スイッチ回路１５は、端子Ｉ１，Ｉ２より、それぞれ合成１１９度信，合成１１０度信号を受ける。２×２スイッチ回路１５は、マイクロコンピュータ４６の指示に従い、端子Ｏ１，Ｏ２のそれぞれに合成１１９度信号または合成１１０度信号を出力する。
【００２４】
中間周波数増幅器１７Ａ，１７Ｂは、それぞれ、端子Ｏ１，Ｏ２の出力信号を増幅する。
【００２５】
キャパシタ１８Ａ，１８Ｂは、それぞれ、中間集周波数増幅器１７Ａ，１７Ｂの出力信号の低周波ノイズを除去する。
【００２６】
電源回路２２は、ＬＮＢ５００の各構成要素に電力を供給する。
出力端子２０Ａは、増幅および低周波ノイズ除去された端子Ｏ１の出力信号（すなわち、合成１１９度信号または合成１１０度信号）をチューナ１に出力する。出力端子２０Ｂは、増幅および低周波ノイズ除去された端子Ｏ２の出力信号（すなわち、合成１１９度信号または合成１１０度信号）をチューナ２に出力する。
【００２７】
図１０は、ＬＮＢ５００によって、１本のケーブルを通じて同時に出力できる信号の組合せを示す。同図に示すように、出力できる信号の組合せは、２通りである。これは、ＬＮＢ５００は、合成１１０度信号（ローバンド側に１１０度右旋偏波信号、ハイバンド側に１１０度左旋偏波信号）、または合成１１９度信号（ローバンド側に１１９度右旋偏波信号、ハイバンド側に１１９度左旋偏波信号）を出力するからである。
【００２８】
以上のように、ＬＮＢ５００によって、１１９度右旋偏波信号と１１９度左旋偏波信号とを合成した合成１１９度信号、または１１０度右旋偏波信号と１１０度左旋偏波信号とを合成した合成１１０度信号をチューナ１および２に出力することができる。
【００２９】
【特許文献１】
特開平５−３１５９８９号公報
【００３０】
【発明が解決しようとする課題】
しかしながら、上述のＬＮＢ５００では、１本のケーブルを通じて同時にチューナに送られるのは１１９度右旋偏波信号と１１９度左旋偏波信号、または１１０度右旋偏波信号と１１０度左旋偏波信号である。
【００３１】
つまり、１本のケーブルでは、１１９度衛星、または１１０度衛星のいずれか１つの衛星の偏波信号しか同時に出力することができず、１１９度右旋偏波信号と１１０度左旋偏波信号のように２つの衛星の偏波信号を同時に出力することができない。
【００３２】
それゆえ、本発明の目的は、１つの衛星の偏波信号だけでなく、複数の衛星の偏波信号も１本のケーブルを通じて同時に出力することのできるＬＮＢ、およびこのようなＬＮＢを用いた衛星放送受信装置を提供することである。
【００３３】
【課題を解決するための手段】
上記課題を解決するために、本発明は、Ｎ個（Ｎ≧２）の衛星のそれぞれから、Ｍ個（Ｍ≧２）の種類の偏波信号を受けるローノイズブロックダウンコンバータであって、各々が、１つの衛星に対応し、対応する衛星から受けたＭ個の種類の偏波信号の周波数の帯域を、重複しないようなＭ個の中間周波数帯域に変換するＮ個の周波数変換回路と、各々が、１つの衛星に対応し、対応する衛星からの帯域変換されたＭ個の種類の偏波信号を周波数多重化して第１の合成信号を生成するＮ個の第１の信号結合器と、Ｎ個の第１の合成信号から重複を許してＭ個の第１の合成信号を任意に選択し、選択したそれぞれの第１の合成信号から任意に１つの偏波信号を取出し、取出したＭ個の偏波信号を周波数多重化して第２の合成信号を生成する信号組替え回路とを備える。
【００３４】
好ましくは、信号組替え回路は、Ｎ個の入力端子とＭ個の出力端子とを備え、Ｎ個の第１の合成信号を受けて、Ｍ個の出力端子の各々に受けたいずれか任意の第１の合成信号を出力するスイッチ回路と、各々が、対応する出力端子から出力される第１の合成信号を受けて、受けた第１の合成信号の対応する帯域に含まれる信号の成分を、受けた第１の合成信号に含まれる偏波信号のうちのいずれか任意の偏波信号とするＭ個の周波数制御回路と、各々が、対応する周波数制御回路の出力信号の対応する帯域の信号成分を通すＭ個のフィルタと、Ｍ個のフィルタの出力信号を周波数多重化して第２の合成信号を生成する第２の信号結合器とを含む。
【００３５】
より好ましくは、周波数制御回路は、任意に切替可能なスイッチと、ミキサとを含み、スイッチは、対応する出力端子から出力される第１の合成信号を受けて、第１の状態のときに、第１の合成信号をそのままフィルタに出力し、第２の状態のときに、第１の合成信号をミキサに出力し、ミキサは、第１の合成信号と所定の周波数の信号とを混合して、混合された信号をフィルタに出力する。
【００３６】
好ましくは、信号組替え回路のスイッチ回路は、さらにＭ個の出力端子を備え、Ｍ個の出力端子の各々に受けたいずれか任意の第１の合成信号を出力し、信号組替え回路は、Ｍ個の出力端子から出力される信号に対応してＭ個の周波数制御回路と、Ｍ個の周波数制御回路の出力に対応してＭ個のフィルタと、Ｍ個のフィルタの出力に対応して１つの信号結合器とをさらに備え、２個の第２の合成信号を生成し、ローノイズブロックダウンコンバータは、Ｋ個（Ｋ≧２）の信号組替え回路を含む。
【００３７】
また、本発明に係わるローノイズブロックダウンコンバータは、Ｎ×Ｍ個（Ｎ≧２、Ｍ≧２）の入力端子と、Ｍ個の出力端子とを備え、Ｎ個の衛星のそれぞれから、Ｍ個の種類の偏波信号を受けて、Ｍ個の出力端子の各々に、受けたいずれか任意の偏波信号を出力するスイッチ回路と、スイッチ回路から出力されるＭ個の偏波信号の周波数の帯域を、重複しないようなＭ個の中間周波数帯域に変換する周波数変換回路と、帯域変換されたＭ個の偏波信号を周波数多重化して合成信号を生成する信号結合器とを備える。
【００３８】
また、本発明は、Ｎ個（Ｎ≧２）の衛星のそれぞれから、Ｍ個（Ｍ≧２）の種類の偏波信号を受けるローノイズブロックダウンコンバータであって、各々が１つの衛星に対応し、対応する衛星から受けたＭ個の種類の偏波信号の周波数の帯域を、重複しないようなＭ個の中間周波数帯域に変換するＮ個の周波数変換回路と、各々が偏波信号の種類に対応し、帯域変換されたＮ個の衛星の対応する種類の偏波信号を受けて、受けたいずれか任意の偏波信号を出力するＭ個のスイッチ回路と、Ｍ個のスイッチ回路からＭ個の偏波信号を受けて、Ｍ個の偏波信号を周波数多重化して合成信号を生成する信号結合器とを備える。
【００３９】
また、本発明は、Ｎ個（Ｎ≧２）の衛星のそれぞれから、Ｍ個（Ｍ≧２）の種類の偏波信号を受ける衛星放送受信装置であって、各々が、１つの衛星に対応し、対応する衛星から受けたＭ個の種類の偏波信号の周波数の帯域を、重複しないようなＭ個の中間周波数帯域に変換するＮ個の周波数変換回路と、各々が、１つの衛星に対応し、対応する衛星からの帯域変換されたＭ個の種類の偏波信号を多重化して第１の合成信号を生成するＮ個の信号結合器と、Ｎ個の第１の合成信号から重複を許してＭ個の第１の合成信号を任意に選択し、選択したそれぞれの第１の合成信号から任意に１つの偏波信号を取出し、取出したＭ個の偏波信号を周波数多重化して第２の合成信号を生成する信号組替え回路とを含むローノイズブロックダウンコンバータと、ローノイズブロックダウンコンバータから出力される第２の合成信号を受けて、第２の合成信号により選局処理および復調処理を行なうチューナとを備える。
【００４０】
【発明の実施の形態】
以下、本発明の実施の形態について図面を用いて説明する。
【００４１】
［第１の実施形態］
本実施の形態は、２つの衛星の偏波信号を１本のケーブルを通じて同時に出力するＬＮＢに関する。
【００４２】
（衛星放送受信装置の構成）
図１は、本発明の第１の実施の形態に係わる衛星放送受信装置の構成を示す。同図を参照して、この衛星放送受信装置１５０は、ＬＮＢ１００と、チューナ１，２とを備える。
【００４３】
ＬＮＢ１００は、アンテナ１２０から第０周波数帯の１１９度左旋偏波信号、１１９度右旋偏波信号、１１０度左旋偏波信号、および１１０度右旋偏波信号を受けて、ＩＦ周波数帯の２つの出力信号を出力する。
【００４４】
チューナ１，２は、それぞれ、ＬＮＢ１００から出力される信号に対して、指示されたチャネルの周波数成分を抽出して選局を行なう選局処理と、選局された信号より映像信号および音声信号を復号する復号処理とを行なう。
【００４５】
テレビ１３０は、チューナ１またはチューナ２から映像信号および音声信号を受けて、指示されたチャネルの番組を提示する。
【００４６】
（ＬＮＢ１００の構成）
図２は、本発明の第１の実施の形態に係るＬＮＢの構成を示す。このＬＮＢ１００が、図９に示す従来のＬＮＢ５００と相違する点は、このＬＮＢ１００が、２×２スイッチ回路１５の代わりに、信号組替え回路５５Ａを含み、マイクロコンピュータ４６の代わりにマイクロコンピュータ１６Ａを含むことである。以下、これらの相違点について説明する。
【００４７】
（信号組替え回路５５Ａの構成）
信号組替え回路５５Ａは、合成１１９度信号と合成１１０度信号とから、重複を許して、１つの出力用に２つの信号を選択する。信号組替え回路５５Ａは、選択したそれぞれの信号に含まれる偏波信号を取出し、取出した２個の偏波信号を合成して出力する。
【００４８】
図３は、信号組替え回路５５Ａの詳細な構成を示す。この信号組替え回路５５Ａは、２×４スイッチ回路３３と、帯域変換／合成回路６０Ａとを備える。帯域変換／合成回路６０Ａは、局部発振器４７と、周波数制御回路５６Ａ，５６Ｂ，５６Ｃ，５６Ｄと、ローパスフィルタ３６Ａ，３６Ｂと、ハイパスフィルタ３７Ａ，３７Ｂと、信号結合器３８Ａ，３８Ｂとを備える。
【００４９】
２×４スイッチ回路３３は、ＩＦ周波数帯（周波数９５０ＭＨｚ〜２１５０ＭＨｚ）で動作する。２×４スイッチ回路３３は、端子Ｉ１，Ｉ２より、それぞれ合成１１９度信号と合成１１０度信号とを受ける。２×４スイッチ回路３３は、マイクロコンピュータ１６Ａの指示に従い、端子Ｍ１，Ｍ２，Ｍ３，Ｍ４のそれぞれに合成１１９度信号または合成１１０度信号を出力する。端子Ｍ１〜Ｍ４から出力される信号の組合せの数は２４通りある。端子Ｍ１，Ｍ２から出力される信号に基づいて、合成信号Ａが生成されて出力され、端子Ｍ３，Ｍ４から出力される信号に基づいて、合成信号Ｂが生成されて出力される。
【００５０】
局部発振器４７は、３．１ＧＨｚの正弦波信号（ローカルオシレータ信号）を発生する。
【００５１】
周波数制御回路５６Ａは、マイクロコンピュータ１６Ａによって状態が切替えられるスイッチ３４Ａと、ミキサ３５Ａとを含む。周波数制御回路５６Ａは、端子Ｍ１から出力された信号のローバンド側に含まれる信号の成分を、その出力された信号に含まれる右旋偏波信号または左旋偏波信号にする。
【００５２】
周波数制御回路５６Ａでは、スイッチ３４Ａがオフのときには、端子Ｍ１から出力された合成１１９度信号または合成１１０度信号がスルーで出力される。これによって、端子Ｍ１から出力された合成１１９度信号または合成１１０度信号のローバンド側には右旋偏波信号がそのまま配置され、ハイバンド側にはそのまま左旋偏波信号が配置される。
【００５３】
周波数制御回路５６Ａでは、スイッチ３４Ａがオンのときには、ミキサ３５Ａは、端子Ｍ１から出力された合成１１９度信号または合成１１０度信号と３．１ＧＨｚのローカルオシレータ信号とを混合する。この混合によって、端子Ｍ１から出力された信号の９５０ＭＨｚの成分が２１５０ＭＨｚ（＝３１００ＭＨｚ−９５０ＭＨｚ）に移り、１４５０ＭＨｚの成分が１６５０ＭＨｚ（＝３１００ＭＨｚ−１４５０ＭＨｚ）に移り、１６５０ＭＨｚの成分が１４５０ＭＨｚ（＝３１００ＭＨｚ−１６５０ＭＨｚ）に移り、２１５０ＭＨｚの成分が９５０ＭＨｚ（＝３１００ＭＨｚ−２１５０ＭＨｚ）に移る。これによって、端子Ｍ１から出力された合成１１９度信号または合成１１０度信号のローバンド側に配置されている右旋偏波信号がハイバンド側に移り、ハイバンド側に配置されている左旋偏波信号がローバンド側に移る。
【００５４】
ローパスフィルタ３６Ａは、周波数制御回路５６Ａの出力信号のローバンドに含まれる周波数成分を通過させる。
【００５５】
周波数制御回路５６Ｂは、マイクロコンピュータ１６Ａによって状態が切替えられるスイッチ３４Ｂと、ミキサ３５Ｂとを含む。周波数制御回路５６Ｂは、端子Ｍ２から出力された信号のローバンド側に含まれる信号の成分を、その出力された信号に含まれる右旋偏波信号または左旋偏波信号にする。
【００５６】
周波数制御回路５６Ｂでは、スイッチ３４Ｂがオフのときには、端子Ｍ２から出力された合成１１９度信号または合成１１０度信号がスルーで出力される。これによって、端子Ｍ２から出力された合成１１９度信号または合成１１０度信号のローバンド側には右旋偏波信号がそのまま配置され、ハイバンド側にはそのまま左旋偏波信号が配置される。
【００５７】
周波数制御回路５６Ｂでは、スイッチ３４Ｂがオンのときには、ミキサ３５Ｂは、端子Ｍ２から出力された合成１１９度信号または合成１１０度信号と３．１ＧＨｚのローカルオシレータ信号とを混合する。この混合によって、端子Ｍ２から出力された信号の９５０ＭＨｚの成分が２１５０ＭＨｚ（＝３１００ＭＨｚ−９５０ＭＨｚ）に移り、１４５０ＭＨｚの成分が１６５０ＭＨｚ（＝３１００ＭＨｚ−１４５０ＭＨｚ）に移り、１６５０ＭＨｚの成分が１４５０ＭＨｚ（＝３１００ＭＨｚ−１６５０ＭＨｚ）に移り、２１５０ＭＨｚの成分が９５０ＭＨｚ（＝３１００ＭＨｚ−２１５０ＭＨｚ）に移る。これによって、端子Ｍ２から出力された合成１１９度信号または合成１１０度信号のローバンド側に配置されている右旋偏波信号がハイバンド側に移り、ハイバンド側に配置されている左旋偏波信号がローバンド側に移る。
【００５８】
ハイパスフィルタ３７Ａは、周波数制御回路５６Ｂの出力信号のハイバンドに含まれる周波数成分を通過させる。
【００５９】
信号結合器３８Ａは、ローパスフィルタ３６Ａを通過した信号と、ハイパスフィルタ３７Ａを通過した信号とを合成して、合成信号を出力する。
【００６０】
周波数制御回路５６Ｃは、マイクロコンピュータ１６Ａによって状態が切替えられるスイッチ３４Ｃと、ミキサ３５Ｃとを含む。周波数制御回路５６Ｃは、端子Ｍ３から出力された信号のローバンド側に含まれる信号の成分を、その出力された信号に含まれる右旋偏波信号または左旋偏波信号にする。
【００６１】
周波数制御回路５６Ｃでは、スイッチ３４Ｃがオフのときには、端子Ｍ３から出力された合成１１９度信号または合成１１０度信号がスルーで出力される。これによって、端子Ｍ３から出力された合成１１９度信号または合成１１０度信号のローバンド側には右旋偏波信号がそのまま配置され、ハイバンド側にはそのまま左旋偏波信号が配置される。
【００６２】
周波数制御回路５６Ｃでは、スイッチ３４Ｃがオンのときには、ミキサ３５Ｃは、端子Ｍ３から出力された合成１１９度信号または合成１１０度信号と３．１ＧＨｚのローカルオシレータ信号とを混合する。この混合によって、端子Ｍ３から出力された信号の９５０ＭＨｚの成分が２１５０ＭＨｚ（＝３１００ＭＨｚ−９５０ＭＨｚ）に移り、１４５０ＭＨｚの成分が１６５０ＭＨｚ（＝３１００ＭＨｚ−１４５０ＭＨｚ）に移り、１６５０ＭＨｚの成分が１４５０ＭＨｚ（＝３１００ＭＨｚ−１６５０ＭＨｚ）に移り、２１５０ＭＨｚの成分が９５０ＭＨｚ（＝３１００ＭＨｚ−２１５０ＭＨｚ）に移る。これによって、端子Ｍ３から出力された合成１１９度信号または合成１１０度信号のローバンド側に配置されている右旋偏波信号がハイバンド側に移り、ハイバンド側に配置されている左旋偏波信号がローバンド側に移る。
【００６３】
ローパスフィルタ３６Ｂは、周波数制御回路５６Ｃの出力信号のローバンドに含まれる周波数成分を通過させる。
【００６４】
周波数制御回路５６Ｄは、マイクロコンピュータ１６Ａによって状態が切替えられるスイッチ３４Ｄと、ミキサ３５Ｄとを含む。周波数制御回路５６Ｄは、端子Ｍ４から出力された信号のローバンド側に含まれる信号の成分を、その出力された信号に含まれる右旋偏波信号または左旋偏波信号にする。
【００６５】
周波数制御回路５６Ｄでは、スイッチ３４Ｄがオフのときには、端子Ｍ４から出力された合成１１９度信号または合成１１０度信号がスルーで出力される。これによって、端子Ｍ４から出力された合成１１９度信号または合成１１０度信号のローバンド側には右旋偏波信号がそのまま配置され、ハイバンド側にはそのまま左旋偏波信号が配置される。
【００６６】
周波数制御回路５６Ｄでは、スイッチ３４Ｄがオンのときには、ミキサ３５Ｄは、端子Ｍ４から出力された合成１１９度信号または合成１１０度信号と３．１ＧＨｚのローカルオシレータ信号とを混合する。この混合によって、端子Ｍ４から出力された信号の９５０ＭＨｚの成分が２１５０ＭＨｚ（＝３１００ＭＨｚ−９５０ＭＨｚ）に移り、１４５０ＭＨｚの成分が１６５０ＭＨｚ（＝３１００ＭＨｚ−１４５０ＭＨｚ）に移り、１６５０ＭＨｚの成分が１４５０ＭＨｚ（＝３１００ＭＨｚ−１６５０ＭＨｚ）に移り、２１５０ＭＨｚの成分が９５０ＭＨｚ（＝３１００ＭＨｚ−２１５０ＭＨｚ）に移る。これによって、端子Ｍ４から出力された合成１１９度信号または合成１１０度信号のローバンド側に配置されている右旋偏波信号がハイバンド側に移り、ハイバンド側に配置されている左旋偏波信号がローバンド側に移る。
【００６７】
ハイパスフィルタ３７Ｂは、周波数制御回路５６Ｄの出力信号のハイバンドに含まれる周波数成分を通過させる。
【００６８】
信号結合器３８Ｂは、ローパスフィルタ３６Ｂを通過した信号と、ハイパスフィルタ３７Ｂを通過した信号とを合成して、合成信号を出力する。
【００６９】
次に、信号組替え回路５５Ａの動作について説明する。
（動作例１）
一例として、端子Ｍ１，Ｍ３から、それぞれ合成１１９度信号が出力され、端子Ｍ２、Ｍ４から、それぞれ合成１１０度信号が出力され、周波数制御回路５６Ａのスイッチ３４Ａがオン、周波数制御回路５６Ｂのスイッチ３４Ｂがオフ、周波数制御回路５６Ｃのスイッチ３４Ｃがオフ、周波数制御回路５６Ｄのスイッチ３４Ｄがオンの場合の動作について説明する。
【００７０】
周波数制御回路５６Ａは、スイッチ３４Ａがオンのときには、ローバンド側に１１９度左旋偏波信号、ハイバンド側に１１９度右旋偏波信号が配置された信号を出力する。
【００７１】
ローパスフィルタ３６Ａは、周波数制御回路５６Ａの出力信号のローバンドに含まれる１１９度左旋偏波信号のみを通過する。
【００７２】
周波数制御回路５６Ｂは、スイッチ３４Ｂがオフのときには、ローバンド側に１１０度右旋偏波信号、ハイバンド側に１１０度左旋偏波信号が配置された信号を出力する。
【００７３】
ハイパスフィルタ３７Ａは、周波数制御回路５６Ｂの出力信号のハイバンドに含まれる１１０度左旋偏波信号のみを通過する。
【００７４】
信号結合器３８Ａは、ローパスフィルタ３６Ａを通過した１１９度左旋偏波信号と、ハイパスフィルタ３７Ａを通過した１１０度左旋偏波信号とを合成して、合成信号Ａを出力する。合成信号Ａは、ハイバンド側に１１０度左旋偏波信号が配置され、ローバンド側に１１９度左旋偏波信号が配置された信号である。
【００７５】
周波数制御回路５６Ｃは、スイッチ３４Ｃがオフのときには、ローバンド側に１１９度右旋偏波信号、ハイバンド側に１１９度左旋偏波信号が配置された信号を出力する。
【００７６】
ローパスフィルタ３６Ｂは、周波数制御回路５６Ｃの出力信号のローバンドに含まれる１１９度右旋偏波信号のみを通過する。
【００７７】
周波数制御回路５６Ｄは、スイッチ３４Ｄがオンのときには、ローバンド側に１１０度左旋偏波信号、ハイバンド側に１１０度右旋偏波信号が配置された信号を出力する。
【００７８】
ハイパスフィルタ３７Ｂは、周波数制御回路５６Ｄの出力信号のハイバンドに含まれる１１０度右旋偏波信号のみを通過する。
【００７９】
信号結合器３８Ｂは、ローパスフィルタ３６Ｂを通過した１１９度右旋偏波信号と、ハイパスフィルタ３７Ｂを通過した１１０度右旋偏波信号とを合成して、合成信号Ｂを出力する。合成信号Ｂは、ハイバンド側に１１０度右旋偏波信号が配置され、ローバンド側に１１９度右旋偏波信号が配置された信号である。
【００８０】
（動作例２）
別の例として、端子Ｍ１，Ｍ３から、それぞれ合成１１９度信号が出力され、端子Ｍ２、Ｍ４から、それぞれ合成１１０度信号が出力され、周波数制御回路５６Ａのスイッチ３４Ａがオン、周波数制御回路５６Ｂのスイッチ３４Ｂがオン、周波数制御回路５６Ｃのスイッチ３４Ｃがオフ、周波数制御回路５６Ｄのスイッチ３４Ｄがオフの場合の動作について説明する。
【００８１】
周波数制御回路５６Ａは、スイッチ３４Ａがオンのときには、ローバンド側に１１９度左旋偏波信号、ハイバンド側に１１９度右旋偏波信号が配置された信号を出力する。
【００８２】
ローパスフィルタ３６Ａは、周波数制御回路５６Ａの出力信号のローバンドに含まれる１１９度左旋偏波信号のみを通過する。
【００８３】
周波数制御回路５６Ｂは、スイッチ３４Ｂがオンのときには、ローバンド側に１１０度左旋偏波信号、ハイバンド側に１１０度右旋偏波信号が配置された信号を出力する。
【００８４】
ハイパスフィルタ３７Ａは、周波数制御回路５６Ｂの出力信号のハイバンドに含まれる１１０度右旋偏波信号のみを通過する。
【００８５】
信号結合器３８Ａは、ローパスフィルタ３６Ａを通過した１１９度左旋偏波信号と、ハイパスフィルタ３７Ａを通過した１１０度右旋偏波信号とを合成して、合成信号Ａを出力する。合成信号Ａは、ハイバンド側に１１０度右旋偏波信号が配置され、ローバンド側に１１９度左旋偏波信号が配置された信号である。
【００８６】
周波数制御回路５６Ｃは、スイッチ３４Ｃがオフのときには、ローバンド側に１１９度右旋偏波信号、ハイバンド側に１１９度左旋偏波信号が配置された信号を出力する。
【００８７】
ローパスフィルタ３６Ｂは、周波数制御回路５６Ｃの出力信号のローバンドに含まれる１１９度右旋偏波信号のみを通過する。
【００８８】
周波数制御回路５６Ｄは、スイッチ３４Ｄがオフのときには、ローバンド側に１１０度右旋偏波信号、ハイバンド側に１１０度左旋偏波信号が配置された信号を出力する。
【００８９】
ハイパスフィルタ３７Ｂは、周波数制御回路５６Ｄの出力信号のハイバンドに含まれる１１０度左旋偏波信号のみを通過する。
【００９０】
信号結合器３８Ｂは、ローパスフィルタ３６Ｂを通過した１１９度右旋偏波信号と、ハイパスフィルタ３７Ｂを通過した１１０度左旋偏波信号とを合成して、合成信号Ｂを出力する。合成信号Ｂは、ハイバンド側に１１０度左旋偏波信号が配置され、ローバンド側に１１９度右旋偏波信号が配置された信号である。
【００９１】
（出力信号の組合せ）
図４は、ＬＮＢ１００によって、１本のケーブルを通じて同時に出力できる信号の組合せを示す。同図に示すように、出力できる信号の組合せは、４２通りである。これは、ＬＮＢ１００では、２×４スイッチ回路３３の端子Ｍ１およびＭ２から出力される信号の種類と、スイッチ３４Ａおよび３４Ｂのオン／オフを制御することによって、合成信号Ａのハイバンド側およびローバンド側に、それぞれ１１９度右旋偏波信号、１１９度左旋偏波信号、１１０度右旋偏波信号、および１１０度左旋偏波信号のうちの任意の信号を配置することができるからである。また、２×４スイッチ回路３３の端子Ｍ３およびＭ４から出力される信号の種類と信号組替え回路５５Ａのスイッチ３４Ｃおよび３４Ｄのオン／オフを制御することによって、合成信号Ｂのハイバンド側およびローバンド側に、それぞれ１１９度右旋偏波信号、１１９度左旋偏波信号、１１０度右旋偏波信号、および１１０度左旋偏波信号のうちの任意の信号を配置することができるからである。
【００９２】
以上のように、本実施の形態に係わるＬＮＢ、および当該ＬＮＢを用いた衛星放送受信装置によれば、信号組替え回路５５Ａが、ハイバンド側およびローバンド側に、それぞれ１１９度右旋偏波信号、１１９度左旋偏波信号、１１０度右旋偏波信号、および１１０度左旋偏波信号のうちの任意の信号を配置した合成信号Ａ（またはＢ）を生成して、このような合成信号Ａ（またはＢ）を出力するので、１つの衛星の偏波信号だけでなく、２つの衛星の偏波信号も１本のケーブルを通じて同時に出力することができる。
【００９３】
また、このような合成信号が２つ生成されるので、このような合成信号を２つのチューナへ出力することができる。
【００９４】
［第２の実施形態］
本実施の形態は、第１の実施形態のＬＮＢの出力先を２つのチューナから４つのチューナに拡張したＬＮＢに関する。
【００９５】
（ＬＮＢ２００の構成）
図５は、本発明の第２の実施の形態に係るＬＮＢの構成を示す。このＬＮＢ２００は、図２に示す第１の実施形態に係わるＬＮＢ１００の構成要素に加えて、信号組替え回路５５Ｂと、マイクロコンピュータ１６Ｂと、中間周波数増幅器１７Ｃ，１７Ｄと、キャパシタ１８Ｃ，１８Ｄと、出力端子２０Ｃ，２０Ｄとを含む。
【００９６】
信号組替え回路５５Ｂは、第１の実施形態における信号組替え回路５５Ａと同様の構成であり、同様に動作する。
【００９７】
すなわち、信号組替え回路５５Ｂは、端子Ｉ１，Ｉ２より、それぞれ合成１１９度信号と合成１１０度信号とを受けて、端子Ｏ１，Ｏ２に合成信号Ａ，Ｂを出力する。
【００９８】
この合成信号Ａは、ハイバンド側およびローバンド側に、それぞれ１１９度右旋偏波信号、１１９度左旋偏波信号、１１０度右旋偏波信号、および１１０度左旋偏波信号のうちの任意の信号を配置したものである。合成信号Ｂも、同様である。
【００９９】
信号組替え回路５５Ｂの端子Ｏ１，Ｏ２から出力された合成信号は、中間周波数増幅器１７Ｃ，１７Ｄと、キャパシタ１８Ｃ，１８Ｄとを経て、出力端子２０Ｃ，２０Ｄから出力される。
【０１００】
（出力信号の組合せ）
ＬＮＢ２００によって、１本のケーブルを通じて同時に出力できる信号の組合せは、第１の実施形態のＬＮＢ１００と同様であり、図４で示されるように４２通りである。
【０１０１】
以上のように、本実施の形態に係わるＬＮＢ、および当該ＬＮＢを用いた衛星放送受信装置によれば、第１の実施形態で説明した信号組替え回路を２つ用いることによって、ハイバンド側およびローバンド側に、それぞれ１１９度右旋偏波信号、１１９度左旋偏波信号、１１０度右旋偏波信号、および１１０度左旋偏波信号のうちの任意の信号を配置した合成信号を４つ生成するので、このような合成信号を４つのチューナへ出力することができる。
【０１０２】
［第３の実施形態］
本実施の形態は、第１の実施形態のような帯域変換／合成回路６０Ａを用いることなく、２つの衛星の偏波信号を１本のケーブルを通じて同時に出力することのできＬＮＢに関する。
【０１０３】
（ＬＮＢ３００の構成）
図６は、本発明の第３の実施の形態に係るＬＮＢの構成を示す。このＬＮＢ３００が、図９に示す従来のＬＮＢ５００と相違する点は、このＬＮＢ３００が、４×４スイッチ回路４１と、マイクロコンピュータ５６とを含むことである。以下、これらの相違点を中心に説明する。
【０１０４】
４×４スイッチ回路４１は、第０周波数帯（周波数１２．２ＧＨｚ〜１２．７ＧＨｚ）で動作する。
【０１０５】
４×４スイッチ回路４１は、端子Ｌ１，Ｌ２，Ｌ３，Ｌ４を通じて、イメージ除去用フィルタ回路５Ａ，６Ａ，６Ｂ，５Ｂから、低雑音増幅され、かつイメージ信号を除去された１１９度左旋偏波信号、低雑音増幅され、かつイメージ信号を除去された１１９度右旋偏波信号、低雑音増幅され、かつイメージ信号を除去された１１０度右旋偏波信号、低雑音増幅され、かつイメージ信号を除去された１１０度左旋偏波信号を受ける。
【０１０６】
４×４スイッチ回路４１は、マイクロコンピュータ５６の指示に従い、端子Ｍ１，Ｍ２，Ｍ３，Ｍ４のそれぞれに、上述の受けた信号のいずれかを出力する。したがって、端子Ｍ１〜Ｍ４から出力される信号の組合せの数は４４通りとなる。
【０１０７】
周波数変換回路３０Ａは、端子Ｍ１，Ｍ２から出力された２個の偏波信号の周波数の帯域を、重複しない２個の中間周波数（ＩＦ）帯域に変換する。
【０１０８】
信号結合器１１Ａは、端子Ｍ１から出力されてミキサ７Ａで周波数変換された偏波信号と、端子Ｍ２から出力されてミキサ８Ａで周波数変換された偏波信号とを周波数多重化して合成信号Ａを出力する。
【０１０９】
周波数変換回路３０Ｂは、端子Ｍ３，Ｍ４から出力された２個の偏波信号の周波数の帯域を、重複しない２個の中間周波数（ＩＦ）帯域に変換する。
【０１１０】
信号結合器１１Ｂは、端子Ｍ３から出力されてミキサ８Ｂで周波数変換された偏波信号と、端子Ｍ４から出力されてミキサ７Ｂで周波数変換された偏波信号とを周波数多重化して合成信号Ｂを出力する。
【０１１１】
２×２スイッチ回路１５は、合成信号Ａおよび合成信号Ｂを受けて、端子Ｏ１，Ｏ２に合成信号Ａまたは合成信号Ｂを出力する。端子Ｏ１，Ｏ２から出力された合成信号は、中間周波数増幅器１７Ａ，１７Ｂ、キャパシタ１８Ａ，１８Ｂを経て、出力端子２０Ａ，２０Ｂから出力される。
【０１１２】
（出力信号の組合せ）
ＬＮＢ３００によって、１本のケーブルを通じて同時に出力できる信号の組合せは、第１の実施形態のＬＮＢ１００と同様であり、図４で示されるように４２通りである。これは、ＬＮＢ４００では、４×４スイッチ回路４１によって、合成信号ＡおよびＢのハイバンド側に、１１９度右旋偏波信号、１１９度左旋偏波信号、１１０度右旋偏波信号、および１１０度左旋偏波信号のうちの任意の信号を配置することができ、合成信号ＡおよびＢのローバンド側に、１１９度右旋偏波信号、１１９度左旋偏波信号、１１０度右旋偏波信号、および１１０度左旋偏波信号の任意の信号を配置することができるからである。
【０１１３】
以上のように、本実施の形態に係わるＬＮＢ、および当該ＬＮＢを用いた衛星放送受信装置によれば、４×４スイッチ回路４１が、合成信号Ａ（またはＢ）のハイバンド側およびローバンド側に、それぞれ１１９度右旋偏波信号、１１９度左旋偏波信号、１１０度右旋偏波信号、および１１０度左旋偏波信号のうちの任意の信号を配置し、このような合成信号Ａ（またはＢ）がＬＮＢから出力されるので、１つの衛星の偏波信号だけでなく、２つの衛星の偏波信号も１本のケーブルを通じて同時に出力することができる。
【０１１４】
また、このような合成信号が２つ生成されるので、このような合成信号を２つのチューナへ出力することができる。
【０１１５】
［第４の実施形態］
本実施の形態は、帯域変換／合成回路を用いることなく、かつ第０周波数帯で動作するスイッチ回路を用いることなく、２つの衛星の偏波信号を１本のケーブルを通じて同時に出力するＬＮＢに関する。
【０１１６】
（ＬＮＢ４００の構成）
図７は、本発明の第４の実施の形態に係るＬＮＢの構成を示す。このＬＮＢ４００が、図９に示す従来のＬＮＢ５００と相違する点は、このＬＮＢ４００が、、２×２スイッチ回路４２，４３と、マイクロコンピュータ５７，５８とを含むことである。以下、これらの相違点を中心に説明する。
【０１１７】
２×２スイッチ回路４２，４３は、ＩＦ周波数帯（周波数９５０ＭＨｚ〜２１５０ＧＨｚ）で動作する。
【０１１８】
２×２スイッチ回路４２は、左旋偏波信号に対応し、ハイパスフィルタ９Ａを通過した１１９度左旋偏波信号と、ハイパスフィルタ９Ｂを通過した１１０度左旋偏波信号とを受ける。２×２スイッチ回路４２は、マイクロコンピュータ５７の指示に従い、端子Ｍ１，Ｍ２のそれぞれに上述の受けた信号のいずれかを出力する。したがって、端子Ｍ１，Ｍ２から出力される信号の組合せは、２２通りである。
【０１１９】
２×２スイッチ回路４３は、右旋偏波信号に対応し、ローパスフィルタ１０Ａを通過した１１９度右旋偏波信号と、ローパスフィルタ１０Ｂを通過した１１０度右旋偏波信号とを受ける。２×２スイッチ回路４３は、マイクロコンピュータ５８の指示に従い、端子Ｍ３，Ｍ４のそれぞれに上述の受けた信号を出力する。端子Ｍ３，Ｍ４から出力される信号の組合せは、２２通りである。
【０１２０】
信号結合器１１Ａは、端子Ｍ１と端子Ｍ３から出力された信号を周波数多重化して合成信号Ａを出力する。信号結合器１１Ｂは、端子Ｍ２と端子Ｍ４から出力された信号を周波数多重化して合成信号Ｂを出力する。
【０１２１】
２×２スイッチ回路１５は、合成信号Ａおよび合成信号Ｂを受けて、端子Ｏ１，Ｏ２に合成信号Ａまたは合成信号Ｂを出力する。端子Ｏ１，Ｏ２から出力された合成信号は、中間周波数増幅器１７Ａ，１７Ｂ、キャパシタ１８Ａ，１８Ｂを経て、出力端子２０Ａ，２０Ｂから出力される。
【０１２２】
（出力信号の組合せ）
図８は、ＬＮＢ４００によって、１本のケーブルを通じて同時に出力できる信号の組合せを示す。同図に示すように、出力できる信号の組合せは、２２通りである。これは、ＬＮＢ４００では、２×２スイッチ回路４２によって、合成信号ＡおよびＢのハイバンド側に、１１９度左旋偏波信号および１１０度左旋偏波信号のうちの任意の信号を配置することができ、２×２スイッチ回路４３によって、合成信号ＡおよびＢのローバンド側に、１１９度右旋偏波信号および１１０度右旋偏波信号のうちの任意の信号を配置することができるからである。
【０１２３】
以上のように、本実施の形態に係わるＬＮＢ、および当該ＬＮＢを用いた衛星放送受信装置によれば、２×２スイッチ回路が、合成信号Ａ（またはＢ、）ハイバンド側に１１９度左旋偏波信号および１１０度左旋偏波信号のうちの任意の信号を配置し、ローバンド側に、１１９度右旋偏波信号および１１０度右旋偏波信号のうちの任意の信号を配置し、このような合成信号がＬＮＢから出力されるので、１つの衛星の偏波信号だけでなく、２つの衛星の偏波信号も１本のケーブルを通じて同時に出力することができる。
【０１２４】
また、このような合成信号が２つ生成されるので、このような合成信号を２つのチューナへ出力することができる。
【０１２５】
［変形例］
本発明は、上記実施の形態に限定されるものではなく、以下の変形例も当然ながら包含する。
【０１２６】
（１）  衛星および偏波信号の数について
本発明の実施形態では、２個の衛星のそれぞれから２種類の偏波信号を受けて、２個の中間周波数帯域のそれぞれに、受けた偏波信号のいずれかを配置した合成信号を生成したが、これに限定するものではない。Ｎ個（Ｎ≧２）の衛星のそれぞれからＭ種類（Ｍ≧２）の偏波信号を受けて、Ｍ個の中間周波数帯域のそれぞれに、受けた偏波信号のいずれかを配置した合成信号を生成するものとしてもよい。
【０１２７】
この場合、各実施形態の構成は、概ね以下のように拡張される。
第１および第２の実施形態では、Ｍ種類の偏波信号の周波数の帯域を重複しないＭ個の中間周波数帯域に変換する周波数変換回路をＮ個備え、Ｎ個の信号結合器のそれぞれは、Ｍ種類の帯域変換された偏波信号を周波数多重化する。
【０１２８】
信号組替え回路は、各衛星の偏波信号を合成したＮ個の合成信号から、重複を許して、各出力用にＭ個の信号を選択し、選択したそれぞれの信号に含まれる偏波信号を取出し、取出したＭ個の偏波信号を合成して出力する。
【０１２９】
また、信号組替え回路は、１つの出力用に、Ｎ×Ｍのスイッチ回路と、Ｍ個の周波数制御回路とＭ個のフィルタとを備え、信号結合器は、Ｍ個のフィルタの出力を周波数多重化する。２つの出力用には、Ｎ×（Ｍ×２）のスイッチ回路と、（２×Ｍ）個の周波数制御回路と（２×Ｍ）個のフィルタとを備え、２個の信号結合器のそれぞれは、Ｍ個のフィルタの出力を周波数多重化する。
【０１３０】
第３の実施形態では、（Ｎ×Ｍ）×（Ｍ×２）のスイッチ回路と、Ｍ種類の偏波信号の周波数の帯域を重複しないＭ個の中間周波数帯域に変換する周波数変換回路とを備え、２つの信号結合器のそれぞれは、Ｍ種類の帯域変換された偏波信号を周波数多重化する。
【０１３１】
第４の実施形態では、Ｍ種類の偏波信号の周波数の帯域を重複しないＭ個の中間周波数帯域に変換する周波数変換回路をＮ個備え、Ｎ×２スイッチ回路をＭ個備え、２つの信号結合器のそれぞれは、Ｍ個のスイッチ回路の対応する端子の出力を周波数多重化する。
【０１３２】
（２）  第２の実施形態の構成
第２の実施形態では、２入力４出力である２×４スイッチ回路３３を含む信号組替え回路を２個備える構成について説明したが、この構成の代わりに、２入力８出力である２×８スイッチ回路を含む信号組替え回路を１個備えるものとしてもよい。
【０１３３】
（３）  出力信号の数
本発明の第１、３および４の実施形態では、２つの合成信号を出力する場合を例示し、第２の実施形態では、４つの合成信号を出力する場合を例示したが、これに限定するものではない。
【０１３４】
第１の実施形態では、２×４スイッチ回路３３の代わりに、２×Ｋスイッチ回路を備えることによって、Ｋ個の合成信号を出力するようにすることができる。
【０１３５】
また、第２の実施形態では、２個の信号組替え回路を備える代わりに、Ｋ個の信号組替え回路を備えることによって、２×Ｋの合成信号を出力することができる。
【０１３６】
また、第３および第４の実施形態における２×２スイッチ回路１５の代わりに、２×Ｋスイッチ回路を備えることによって、Ｋ個の合成信号を出力することができる。
【０１３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１３８】
【発明の効果】
以上のように、本発明に係わるローノイズブロックダウンコンバータは、Ｎ個（Ｎ≧２）の衛星のそれぞれから、Ｍ個（Ｍ≧２）の種類の偏波信号を受け、各々が、１つの衛星に対応し、対応する衛星から受けたＭ個の種類の偏波信号の周波数の帯域を、重複しないようなＭ個の中間周波数帯域に変換するＮ個の周波数変換回路と、各々が、１つの衛星に対応し、対応する衛星からの帯域変換されたＭ個の種類の偏波信号を周波数多重化して第１の合成信号を生成するＮ個の第１の信号結合器と、Ｎ個の第１の合成信号から重複を許してＭ個の第１の合成信号を任意に選択し、選択したそれぞれの第１の合成信号から任意に１つの偏波信号を取出し、取出したＭ個の偏波信号を周波数多重化して第２の合成信号を生成する信号組替え回路とを備えるので、１つの衛星の偏波信号だけでなく、複数の衛星の偏波信号も１本のケーブルを通じて同時に出力することができる。
【図面の簡単な説明】
【図１】本発明の第１の実施の形態に係わる衛星放送受信装置の構成を示す図である。
【図２】本発明の第１の実施の形態に係るＬＮＢの構成を示す図である。
【図３】信号組替え回路５５Ａの詳細な構成を示す図である。
【図４】ＬＮＢ１００によって、１本のケーブルを通じて同時に出力できる信号の組合せを示す図である。
【図５】本発明の第２の実施の形態に係るＬＮＢの構成を示す図である。
【図６】本発明の第３の実施の形態に係るＬＮＢの構成を示す図である。
【図７】本発明の第４の実施の形態に係るＬＮＢの構成を示す図である。
【図８】ＬＮＢ４００によって、１本のケーブルを通じて同時に出力できる信号の組合せを示す図である。
【図９】特許文献１に記載のＬＮＢを、２つの衛星から送信される偏波信号を受信できるように拡張したＬＮＢの構成を示す図である。
【図１０】ＬＮＢ５００によって、１本のケーブルを通じて同時に出力できる信号の組合せを示す図である。
【符号の説明】
１，２  チューナ、１２０  アンテナ、１３０  テレビ、１５０  衛星放送受信装置、１００，２００，３００，４００，５００  ＬＮＢ  ３Ａ，３Ｂ，４Ａ，４Ｂ  低雑音増幅器、５Ａ，５Ｂ，６Ａ，６Ｂ  イメージ除去用フィルタ回路、１３，１４，４７  局部発振器、７Ａ，７Ｂ，８Ａ，８Ｂ，３５Ａ，３５Ｂ，３５Ｃ，３５Ｄ  ミキサ、３４Ａ，３４Ｂ，３４Ｃ，３４Ｄ  スイッチ、５６Ａ，５６Ｂ，５６Ｃ，５６Ｄ  周波数制御回路、３０Ａ，３０Ｂ  周波数変換回路、９Ａ，９Ｂ，３７Ａ，３７Ｂ  ハイパスフィルタ、１０Ａ，１０Ｂ，３６Ａ，３６Ｂ  ローパスフィルタ、１１Ａ，１１Ｂ，３８Ａ，３８Ｂ  信号結合器、１５，４２，４３  ２×２スイッチ回路、３３  ２×４スイッチ回路、５５Ａ，５５Ｂ  信号組替え回路、４１  ４×４スイッチ回路、１７Ａ，１７Ｂ，１７Ｃ，１７Ｄ  中間周波数増幅器、１８Ａ，１８Ｂ，１８Ｃ，１８Ｄ  キャパシタ、２０Ａ，２０Ｂ，２０Ｃ，２０Ｄ  出力端子、２２  電源回路、１６Ａ，１６Ｂ，４６，５６，５７，５８  マイクロコンピュータ。
【図１】
2004350149.tif 000003
【図２】
2004350149.tif 000004
【図３】
2004350149.tif 000005
【図４】
2004350149.tif 000006
【図５】
2004350149.tif 000007
【図６】
2004350149.tif 000008
【図７】
2004350149.tif 000009
【図８】
2004350149.tif 000010
【図９】
2004350149.tif 000011
【図１０】
2004350149.tif 000012